(57)【特許請求の範囲】
【請求項１】
第１の流体圧アクチュエータを制御する第１のパイロット操作式制御弁と、
第１の流体圧アクチュエータと連動的に操作可能な第２の流体圧アクチュエータを制御する第２のパイロット操作式制御弁と、
第１のパイロット操作式制御弁と共通の流体圧源から作動流体の供給を受けて第１および第２の流体圧アクチュエータと連動的に操作可能であるとともに第１の流体圧アクチュエータより低負荷の第３の流体圧アクチュエータを制御する第３のパイロット操作式制御弁と、
第１のパイロット操作式制御弁に作用する特定方向のパイロット圧から分岐した信号圧に応じて第３のパイロット操作式制御弁に作用する特定方向のパイロット圧を減圧制御可能の減圧弁と、
第２のパイロット操作式制御弁に特定方向のパイロット圧が作用しないときは減圧弁に作用する信号圧をなくすとともに第２のパイロット操作式制御弁に特定方向のパイロット圧が作用したときはその特定方向のパイロット圧により切換わって減圧弁に信号圧を作用させる切換弁と
を具備したことを特徴とする流体圧回路。
【請求項２】
減圧弁は、
第１のパイロット操作式制御弁に作用する特定方向のパイロット圧から分岐した信号圧に応じて第３のパイロット操作式制御弁に作用する特定方向のパイロット圧を減圧制御可能の第１の減圧弁と、
第１のパイロット操作式制御弁に作用する特定方向のパイロット圧から分岐した信号圧に応じて第２のパイロット操作式制御弁に作用する特定方向のパイロット圧を減圧制御可能の第２の減圧弁とを具備し、
切換弁は、
第２のパイロット操作式制御弁に特定方向のパイロット圧が作用しないときは第１の減圧弁および第２の減圧弁に作用する信号圧をなくすとともに第２のパイロット操作式制御弁に特定方向のパイロット圧が作用したときはその特定方向のパイロット圧により切換わって第１の減圧弁および第２の減圧弁に信号圧を作用させる
ことを特徴とする請求項１記載の流体圧回路。
【請求項３】
第１の流体圧アクチュエータを制御する第１のパイロット操作式制御弁は、油圧ショベルのブームシリンダを制御する制御弁であり、
第２の流体圧アクチュエータを制御する第２のパイロット操作式制御弁は、油圧ショベルのスティックシリンダを制御する制御弁であり、
第３の流体圧アクチュエータを制御する第３のパイロット操作式制御弁は、油圧ショベルのバケットシリンダを制御する制御弁であり、
第１のパイロット操作式制御弁に作用する特定方向のパイロット圧は、ブーム上げパイロット圧であり、
信号圧は、ブーム上げ信号圧であり、
第２のパイロット操作式制御弁に作用する特定方向のパイロット圧は、スティック・アウトパイロット圧であり、
第３のパイロット操作式制御弁に作用する特定方向のパイロット圧は、バケット・クローズパイロット圧である
ことを特徴とする請求項１または２記載の流体圧回路。
【発明の詳細な説明】
【０００１】
【発明の属する技術分野】
本発明は、パイロット操作式制御弁を有する流体圧回路に関する。
【０００２】
【従来の技術】
図３に示されるように、建設機械としての油圧ショベルは、走行モータを備えた下部走行体11に、旋回部12の旋回モータにより旋回可能の上部旋回体13が設けられ、この上部旋回体13にフロント作業機のブーム14が、ブームシリンダ15により上下方向に回動自在に軸支され、このブーム14の先端にスティック16が、スティックシリンダ17により内外方向に回動自在に軸支され、このスティック16の先端にバケット18が、バケットシリンダ19により開閉方向に回動自在に軸支されている。
【０００３】
ここで、ブームシリンダ15を伸長させることでブーム上げ、スティックシリンダ17を伸長させることでスティック・イン、スティックシリンダ17を収縮させることでスティック・アウト、バケットシリンダ19を伸長させることでバケット・クローズの各動作が得られる。
【０００４】
実用新案登録第２５７９５８７号公報「建設機械の油圧回路」には、油圧ショベルの左右ポンプラインに、ブームシリンダを制御するブーム第１制御弁およびブーム第２制御弁と、スティックシリンダを制御するスティック第１制御弁およびスティック第２制御弁とをそれぞれ設け、ブーム第１制御弁に作用するブーム上げパイロット圧に応じてスティック第２制御弁に作用するスティック・インパイロット圧を減圧弁により減圧制御するようにした建設機械の油圧回路が示されている。
【０００５】
この実用新案登録第２５７９５８７号公報に示された建設機械の油圧回路で用いられている減圧弁は、図４に示されるように、ブーム第１制御弁に作用するブーム上げパイロット圧が上昇するにつれ、スティック第２制御弁に作用するスティック・インパイロット圧を徐々に減圧してゆき、ブーム操作弁のフルレバー操作付近において、ブーム上げパイロット圧が設定値に達すると、減圧弁は、スティック・インパイロット圧を０まで減圧する特性を有するので、スティック第２制御弁が中立位置に復帰し、この結果、スティック第２制御弁からスティックシリンダに供給される作動油流量を０にするとともに、その分、ブーム第１制御弁を経てブームシリンダに供給される作動油流量を確保している。
【０００６】
この図４に示すような特性を持つ減圧弁を用いた応用回路として、例えば、ブーム上げ＋スティック・アウト＋バケット・クローズの空中３連動操作によるダンプ積込み作業において、従来回路では、高負荷のブームシリンダ15より低負荷のバケットシリンダ19にポンプ吐出油が流れてしまい、ブーム14が上がらないという問題があるので、この問題を解決するために、図５に示されるようにバケットパイロットラインに減圧弁を組込むと良い。
【０００７】
この図５に示された油圧回路を説明すると、ブームシリンダ15を制御するブーム第１スプール21およびブーム第２スプール22と、スティックシリンダ17を制御するスティック第１スプール23およびスティック第２スプール24と、バケットシリンダ19を制御するバケットスプール25とを備えている。
【０００８】
ブーム第１スプール21、スティック第２スプール24およびバケットスプール25は、一方の油圧源26に接続され、この油圧源26から作動油の供給を受ける。一方、ブーム第２スプール22およびスティック第１スプール23は、他方の油圧源27に接続され、この油圧源27から作動油の供給を受ける。各油圧源26，27は、それぞれのパラレル通路28を介して各スプールに作動油を供給し、各スプールが中立位置にあるときは、それぞれのバイパス通路29を経てタンク30に連通されている。
【０００９】
ブーム第１スプール21のブーム上げパイロット圧作用部およびブーム第２スプール22のパイロット圧作用部には、ブームリモコン弁31からのパイロットライン32，33が接続され、バケットスプール25のバケット・クローズパイロット圧作用部には、バケットリモコン弁34からのパイロットライン35が接続されている。
【００１０】
バケットリモコン弁34からバケットスプール25のバケット・クローズパイロット圧作用部に至るパイロットライン35中には、外部パイロット方式の減圧弁36が設けられている。さらに、ブームリモコン弁31からブーム第１スプール21のブーム上げパイロット圧作用部に接続されたパイロットライン32よりブーム上げ信号圧ライン37が分岐され、この分岐されたブーム上げ信号圧ライン37が、減圧弁36の信号圧作用部に導かれている。
【００１１】
そして、この外部パイロット方式の減圧弁36は、ブームリモコン弁31からブーム第１スプール21のブーム上げパイロット圧作用部に作用するブーム上げパイロット圧に応じて、バケットリモコン弁34からバケットスプール25のバケット・クローズパイロット圧作用部に作用するバケット・クローズパイロット圧を、バケットシリンダ19を作動しうる範囲で減圧制御する。
【００１２】
すなわち、ブーム上げとバケット・クローズの連動操作にて、ブーム上げパイロット圧により減圧弁36を作動させ、バケットスプール25のストロークを制限することにより、共通の油圧源26からブームシリンダ15へ供給される油量を確保し、ブーム14が上がるようにしている。
【００１３】
【発明が解決しようとする課題】
このように、ブーム上げ＋スティック・アウト＋バケット・クローズの空中３連動操作によるダンプ積込み作業において発生するブーム14が上がらない問題を解決するためにバケットリモコン弁34からのパイロットライン35に減圧弁36を組込むと、今度は、例えば、ブーム上げ＋スティック・イン＋バケット・クローズの３連動操作による掘削作業に支障が発生する。
【００１４】
すなわち、このブーム上げ＋スティック・イン＋バケット・クローズの３連動操作による掘削作業の場合、本来、バケット掘削力を最大にするため、バケットスプール25はフルシフトさせる必要があるにもかかわらず、図５に示された回路では、ブーム上げ操作によりブーム上げパイロット圧が高くなると、前記減圧弁36によりバケットスプール25へのバケット・クローズパイロット圧が減圧され、バケットスプール25が中立位置方向に戻ってしまう。
【００１５】
この状態では、図６（ａ）（ｂ）において、バケットスプールストロークが０の近傍になるから、P-Tで示されるようなバケットスプール25のポンプ・タンク間バイパス通路の開口特性により、油圧源26のポンプ吐出油の一部がこのバイパス通路からタンクへ吹抜け、バケットシリンダ19への供給油が不足して、掘削作業に支障をきたす問題がある。なお、図６（ａ）において、P-Aは、バケットスプール25のポンプ・Aポート間通路の開口特性であり、B-Tは、バケットスプール25のBポート・タンク間通路の開口特性であり、図６（ｂ）において、P-Bは、バケットスプール25のポンプ・Bポート間通路の開口特性であり、A-Tは、バケットスプール25のAポート・タンク間通路の開口特性である。
【００１６】
本発明は、このような点に鑑みなされたもので、複数の作業を共に円滑にできるようにする流体圧回路を提供することを目的とするものである。
【００１７】
【課題を解決するための手段】
請求項１に記載された発明は、第１の流体圧アクチュエータを制御する第１のパイロット操作式制御弁と、第１の流体圧アクチュエータと連動的に操作可能な第２の流体圧アクチュエータを制御する第２のパイロット操作式制御弁と、第１のパイロット操作式制御弁と共通の流体圧源から作動流体の供給を受けて第１および第２の流体圧アクチュエータと連動的に操作可能であるとともに第１の流体圧アクチュエータより低負荷の第３の流体圧アクチュエータを制御する第３のパイロット操作式制御弁と、第１のパイロット操作式制御弁に作用する特定方向のパイロット圧から分岐した信号圧に応じて第３のパイロット操作式制御弁に作用する特定方向のパイロット圧を減圧制御可能の減圧弁と、第２のパイロット操作式制御弁に特定方向のパイロット圧が作用しないときは減圧弁に作用する信号圧をなくすとともに第２のパイロット操作式制御弁に特定方向のパイロット圧が作用したときはその特定方向のパイロット圧により切換わって減圧弁に信号圧を作用させる切換弁とを具備した流体圧回路である。
【００１８】
そして、第２のパイロット操作式制御弁に特定方向のパイロット圧が作用しないときは、減圧弁への信号圧が切換弁によりカットされているため、減圧弁は作動せず、したがって、第３のパイロット操作式制御弁に作用する特定方向のパイロット圧が減圧されることはなく、第３の流体圧アクチュエータの円滑な動作を確保できるので、この動作が要求される一の作業を円滑にできる。また、第１のパイロット操作式制御弁、第２のパイロット操作式制御弁および第３のパイロット操作式制御弁に、それぞれの特定方向のパイロット圧を作用させて、連動操作による他の作業をするときは、第２のパイロット操作式制御弁に作用する特定方向のパイロット圧により切換弁が切換わり、第１のパイロット操作式制御弁に作用する特定方向のパイロット圧から分岐した信号圧が切換弁を介し減圧弁に入力され、減圧弁が作動して、第３のパイロット操作式制御弁に作用する特定方向のパイロット圧が減圧されるので、第３のパイロット操作式制御弁が中立位置方向に戻され、第１の流体圧アクチュエータより低負荷の第３の流体圧アクチュエータに供給される作動流体量が制限されるとともに、その分、共通の流体圧源から第１のパイロット操作式制御弁を経て第１の流体圧アクチュエータに供給される作動流体量が増加し、第１の流体圧アクチュエータの必要な動作速度を確保して操作性を改善できる。これにより、複数の作業を共に円滑にできる。
【００１９】
請求項２に記載された発明は、請求項１記載の流体圧回路における減圧弁が、第１のパイロット操作式制御弁に作用する特定方向のパイロット圧から分岐した信号圧に応じて第３のパイロット操作式制御弁に作用する特定方向のパイロット圧を減圧制御可能の第１の減圧弁と、第１のパイロット操作式制御弁に作用する特定方向のパイロット圧から分岐した信号圧に応じて第２のパイロット操作式制御弁に作用する特定方向のパイロット圧を減圧制御可能の第２の減圧弁とを具備し、切換弁は、第２のパイロット操作式制御弁に特定方向のパイロット圧が作用しないときは第１の減圧弁および第２の減圧弁に作用する信号圧をなくすとともに第２のパイロット操作式制御弁に特定方向のパイロット圧が作用したときはその特定方向のパイロット圧により切換わって第１の減圧弁および第２の減圧弁に信号圧を作用させる流体圧回路である。
【００２０】
そして、第１のパイロット操作式制御弁、第２のパイロット操作式制御弁および第３のパイロット操作式制御弁に、それぞれの特定方向のパイロット圧を作用させて、連動操作による作業をするときは、第１のパイロット操作式制御弁に作用する特定方向のパイロット圧から分岐した信号圧が切換弁を介し第１の減圧弁および第２の減圧弁に入力されることにより、それぞれの減圧弁が作動して、第２のパイロット操作式制御弁への特定方向のパイロット圧が減圧されるとともに、第３のパイロット操作式制御弁への特定方向のパイロット圧が減圧され、第２のパイロット操作式制御弁と第３のパイロット操作式制御弁とが同時に中立位置方向へ戻され、その分、第１のパイロット操作式制御弁を経て第１の流体圧アクチュエータに供給される作動流体量が、より一層増加するので、第１の流体圧アクチュエータの動作速度は、さらに速くなり、操作性を一層改善できる。
【００２１】
請求項３に記載された発明は、請求項１または２記載の流体圧回路において、第１の流体圧アクチュエータを制御する第１のパイロット操作式制御弁は、油圧ショベルのブームシリンダを制御する制御弁であり、第２の流体圧アクチュエータを制御する第２のパイロット操作式制御弁は、油圧ショベルのスティックシリンダを制御する制御弁であり、第３の流体圧アクチュエータを制御する第３のパイロット操作式制御弁は、油圧ショベルのバケットシリンダを制御する制御弁であり、第１のパイロット操作式制御弁に作用する特定方向のパイロット圧は、ブーム上げパイロット圧であり、信号圧は、ブーム上げ信号圧であり、第２のパイロット操作式制御弁に作用する特定方向のパイロット圧は、スティック・アウトパイロット圧であり、第３のパイロット操作式制御弁に作用する特定方向のパイロット圧は、バケット・クローズパイロット圧であるとした流体圧回路である。
【００２２】
そして、ブーム上げ＋スティック・イン＋バケット・クローズの３連動操作による掘削作業においては、ブーム上げ信号圧は切換弁によりカットされているため減圧弁に入力されず、この減圧弁は作動せず、したがって、バケットシリンダの制御弁ヘのバケット・クローズパイロット圧が減圧されることはなく、円滑な掘削作業に適したバケット動作を確保できる。また、ブーム上げ＋スティック・アウト＋バケット・クローズの空中３連動操作によるダンプ積込み作業においては、スティック・アウトパイロット圧により切換弁が切換わり、ブーム上げパイロット圧から分岐したブーム上げ信号圧が切換弁を介し減圧弁に入力されることにより、減圧弁が作動し、バケットシリンダの制御弁へのバケット・クローズパイロット圧が減圧されるので、バケットシリンダの制御弁が中立位置方向に戻され、ブームシリンダより低負荷のバケットシリンダに供給される作動流体量が制限されるとともに、その分、共通の流体圧源からブームシリンダの制御弁を経てブームシリンダに供給される作動流体量が増加し、必要なブーム上げ速度を確保できる。
【００２３】
【発明の実施の形態】
以下、本発明を図１に示された一実施の形態、図２に示された他の実施の形態を参照しながら詳細に説明する。これらの図１および図２は、建設機械としての油圧ショベルの流体圧回路としての油圧回路を示す。なお、図３に示された油圧ショベルと同一の部分には同一符号を付する。
【００２４】
図１に示されるように、この油圧回路は、第１の流体圧アクチュエータとしてのブームシリンダ15を制御する第１のパイロット操作式制御弁としてのブーム第１スプール21およびブーム第２スプール22と、第２の流体圧アクチュエータとしてのスティックシリンダ17を制御する第２のパイロット操作式制御弁としてのスティック第１スプール23およびスティック第２スプール24と、第３の流体圧アクチュエータとしてのバケットシリンダ19を制御する第３のパイロット操作式制御弁としてのバケットスプール25とを備えている。
【００２５】
ブーム第１スプール21およびブーム第２スプール22は、ブームシリンダ15と２対１の関係で設置されたパイロット操作式センタバイパス型の制御弁であり、スティック第１スプール23およびスティック第２スプール24は、スティックシリンダ17と２対１の関係で設置されたパイロット操作式センタバイパス型の制御弁であり、バケットスプール25は、バケットシリンダ19と１対１の関係で設置されたパイロット操作式センタバイパス型の制御弁である。
【００２６】
ブーム第１スプール21、スティック第２スプール24およびバケットスプール25は、共通の流体圧源としての一方の油圧源26に接続され、この油圧源26から作動流体としての作動油の供給を受ける。
【００２７】
一方、ブーム第２スプール22およびスティック第１スプール23は、他方の油圧源27に接続され、この油圧源27から作動油の供給を受ける。
【００２８】
各油圧源26，27は、それぞれのパラレル通路28を介して各スプールに作動油を供給し、各スプールが中立位置にあるときは、それぞれのバイパス通路29を経てタンク30に連通されている。
【００２９】
バケット18を回動するバケットシリンダ19は、フロント作業機全体の荷重を支えるブームシリンダ15より低負荷のアクチュエータである。
【００３０】
ブーム第１スプール21およびブーム第２スプール22にて特定方向のパイロット圧としてのブーム上げパイロット圧が作用するブーム上げパイロット圧作用部には、ブーム操作弁としてのブームリモコン弁31からのパイロットライン32，33がそれぞれ接続されている。
【００３１】
バケットスプール25にて特定方向のパイロット圧としてのバケット・クローズパイロット圧が作用するバケット・クローズパイロット圧作用部には、バケット操作弁としてのバケットリモコン弁34からのパイロットライン35が接続されている。
【００３２】
スティック第１スプール23およびスティック第２スプール24にて特定方向のパイロット圧としてのスティック・アウトパイロット圧が作用するスティック・アウトパイロット圧作用部には、スティック操作弁としてのスティックリモコン弁41からのパイロットライン42がそれぞれ接続されている。
【００３３】
ブーム第１スプール21のブーム下げパイロット圧作用部には、ブームリモコン弁31からのブーム下げパイロット圧用のパイロットライン（図示せず）が接続され、バケットスプール25のバケット・オープンパイロット圧作用部には、バケットリモコン弁34からのバケット・オープンパイロット圧用のパイロットライン（図示せず）が接続され、スティック第１スプール23およびスティック第２スプール24のスティック・インパイロット圧作用部には、スティックリモコン弁41からのスティック・インパイロット圧用のパイロットライン（図示せず）が接続されている。
【００３４】
ブームリモコン弁31は、図１に示された矢印方向の操作がブーム上げ操作であり、バケットリモコン弁34は、矢印方向の操作がバケット・クローズ操作であり、スティックリモコン弁41は、矢印方向の操作がスティック・アウト操作である。
【００３５】
バケットリモコン弁34からバケットスプール25のバケット・クローズパイロット圧作用部に至るパイロットライン35中には、外部パイロット方式の減圧弁36が設けられている。
【００３６】
さらに、ブームリモコン弁31からブーム第１スプール21のブーム上げパイロット圧作用部に接続されたパイロットライン32からブーム上げ信号圧ライン37が分岐され、この分岐されたブーム上げ信号圧ライン37が、減圧弁36の信号圧作用部に連通可能となっている。
【００３７】
この図１に示された油圧回路において、図５に示された油圧回路と異なる点は、ブーム上げ用のパイロットライン32から分岐したブーム上げ信号圧ライン37中に、スティック・アウトパイロット圧により切換わる２位置３ポート型の切換弁38が設けられ、スティックリモコン弁41からスティック第１スプール23およびスティック第２スプール24のスティック・アウトパイロット圧作用部に接続されたパイロットライン42よりスティック・アウト信号圧ライン43が分岐され、この分岐されたスティック・アウト信号圧ライン43が、切換弁38の信号圧作用部に導かれている。
【００３８】
この切換弁38は、中立位置で、ブーム上げ信号圧ライン37と減圧弁36の信号圧作用部に接続された信号圧ライン37aとをカットし、かつ、減圧弁36への信号圧ライン37aを本切換弁38を介してタンク30ヘ導通しており、減圧弁36は作動しない。
【００３９】
スティックリモコン弁41のスティック・アウト操作により、スティック・アウト信号圧が切換弁38の信号圧作用部に入り、切換弁38が右室に切換わると、ブーム上げ信号圧が切換弁38を介して減圧弁36の信号圧作用部に入力されるので、この減圧弁36が作動して、バケットリモコン弁34からバケットスプール25へのバケット・クローズパイロット圧が減圧される。
【００４０】
すなわち、切換弁38の連通作動時は、減圧弁36は、ブームリモコン弁31からブーム第１スプール21のブーム上げパイロット圧作用部に作用するブーム上げパイロット圧から分岐したブーム上げ信号圧に応じて作動可能であり、バケットリモコン弁34からバケットスプール25のバケット・クローズパイロット圧作用部に作用するバケット・クローズパイロット圧を、バケットシリンダ19を作動しうる範囲で減圧制御するものである。
【００４１】
次に、この図１に示された実施の形態の作用効果を説明する。
【００４２】
（1）ブーム上げ＋スティック・イン＋バケット・クローズの３連動操作による掘削作業の場合、切換弁38は図１に示された位置にあり、ブーム上げ信号圧ライン37は切換弁38によりカットされているため、ブーム上げ信号圧が減圧弁36に入力されず、かつ、減圧弁36への信号圧ライン37aがタンク30へ導通しているので、この減圧弁36は作動せず、したがって、バケットリモコン弁34からバケットスプール25ヘのバケット・クローズパイロット圧が減圧されることはなく、バケットスプール25が中立位置方向に戻ることでバケットシリンダ19への供給油が不足して掘削し難くなるということがない。すなわち、円滑な掘削作業に適したバケット動作を確保できる。
【００４３】
（2）ブーム上げ＋スティック・イン＋バケット・クローズの３連動操作による掘削作業に限らず、ブーム上げ＋スティック・アウト＋バケット・クローズの３連動操作以外の他の操作において、バケット・クローズの動きが遅くなるということは起きない。
【００４４】
（3）ブーム上げ＋スティック・アウト＋バケット・クローズの空中３連動操作によるダンプ積込み作業においては、スティックリモコン弁41からのスティック・アウトパイロット圧により切換弁38が切換わり、ブーム上げパイロット圧から分岐したブーム上げ信号圧が切換弁38を介して減圧弁36に入力されることにより、減圧弁36が作動し、バケットリモコン弁34からバケットスプール25へのバケット・クローズパイロット圧が減圧されるので、バケットスプール25が中立位置方向に戻され、ブームシリンダ15より低負荷のバケットシリンダ19に供給される作動油量が制限されるとともに、その分、共通の油圧源26からブーム第１スプール21を経てブームシリンダ15に供給される作動油量が増加し、必要なブーム上げ速度を確保でき、操作性を改善できる。
【００４５】
（4）バケット・クローズのパイロットライン35にブーム上げパイロット圧により制御される減圧弁36を組込んだ場合について記述したが、その他の様々なアクチュエータを制御するスプールのパイロットラインにも、同様の減圧弁を適用できる。その一例を次に示す。
【００４６】
次に、図２に示された他の実施の形態を説明する。なお、この図２に示された実施の形態は、図１に示された回路中の部分的な変形例であるから、図１と同様の部分は、同一符号を付して、その説明を省略する。
【００４７】
ブーム上げ信号圧ライン37中に切換弁38を設けた点は図１に示された実施の形態と同様であるが、図１に示された減圧弁36が２連減圧弁ブロック36Aに変更された点で異なる。
【００４８】
この２連減圧弁ブロック36Aは、バケットリモコン弁34からバケットスプール25のバケット・クローズパイロット圧作用部に至るパイロットライン35中に設けられた外部パイロット方式の第１の減圧弁36aと、スティックリモコン弁41からスティック第１スプール23およびスティック第２スプール24のスティック・アウトパイロット圧作用部に至るパイロットライン42中に設けられた外部パイロット方式の第２の減圧弁36bとを備えている。
【００４９】
ブーム上げパイロットライン32から分岐したブーム上げ信号圧ライン37中に、スティック・アウトパイロット圧により切換わる２位置３ポート型の切換弁38が設けられ、スティックリモコン弁41からスティック第１スプール23およびスティック第２スプール24のスティック・アウトパイロット圧作用部に接続可能のパイロットライン42よりスティック・アウト信号圧ライン43が分岐され、このスティック・アウト信号圧ライン43が、切換弁38の信号圧作用部に導かれている。
【００５０】
ブーム上げ信号圧ライン37の切換弁38を経た信号圧ライン37aは、バケット・クローズパイロット圧を減圧する第１の減圧弁36aの信号圧作用部と、スティック・アウトパイロット圧を減圧する第２の減圧弁36bの信号圧作用部とにそれぞれ接続されている。
【００５１】
切換弁38は、スティック第１スプール23およびスティック第２スプール24にスティック・アウトパイロット圧が作用しないときは、図２に示された位置に保たれ、第１の減圧弁36aおよび第２の減圧弁36bに作用する信号圧をなくすとともに、スティック第１スプール23およびスティック第２スプール24にスティック・アウトパイロット圧が作用したときは、そのパイロット圧から分岐したスティック・アウト信号圧により切換わって、ブーム上げパイロット圧から分岐したブーム上げ信号圧を２連減圧弁ブロック36Aに入力し、第１の減圧弁36aおよび第２の減圧弁36bに作用させる。
【００５２】
これにより、それぞれの減圧弁36a，36bが作動すると、第１の減圧弁36aは、ブーム第１スプール21に作用するブーム上げパイロット圧から分岐したブーム上げ信号圧に応じて、バケットスプール25に作用するバケット・クローズパイロット圧を減圧制御可能であり、第２の減圧弁36bは、上記ブーム上げ信号圧に応じて、スティック第１スプール23およびスティック第２スプール24に作用するスティック・アウトパイロット圧を減圧制御可能である。
【００５３】
この図２に示された実施の形態では、ブーム上げ＋スティック・アウト＋バケット・クローズの空中３連動操作のとき、ブーム上げパイロット圧から分岐したブーム上げ信号圧が切換弁38を介して２連の減圧弁36a，36bの信号圧作用部に入力されることにより、それぞれの減圧弁36a，36bが作動して、バケットスプール25へのバケット・クローズパイロット圧が減圧されるとともに、スティック第１スプール23およびスティック第２スプール24へのスティック・アウトパイロット圧が減圧され、バケットスプール25と、スティック第１スプール23およびスティック第２スプール24とが同時に中立位置方向へ戻され、その分、油圧源26，27からブーム第１スプール21およびブーム第２スプール22を経てブームシリンダ15のブーム上げ側へ供給される圧油供給量が、より一層増加するので、ブームシリンダ15によるブーム上げ動作速度は、さらに速くなり、操作性を一層改善できる。
【００５４】
なお、本流体圧回路は、油圧ショベルのブームシリンダ15、スティックシリンダ17、バケットシリンダ19を駆動する油圧回路を例示して説明したが、走行モータ、旋回モータ、アタッチメントなどを作動する油圧回路にも適用可能であり、また、油圧ショベルなどの建設機械だけでなく他の作業機械でも適用でき、要するに、複数の流体圧アクチュエータを連動操作する一の作業および他の作業を共に円滑にできるようにする流体圧回路に広く適用できる。
【００５５】
【発明の効果】
請求項１記載の発明によれば、第２のパイロット操作式制御弁に特定方向のパイロット圧が作用しないときは、切換弁により信号圧をカットされた減圧弁は作動せず、第３の流体圧アクチュエータの円滑な動作を確保できるので、この動作が要求される一の作業を円滑にできるとともに、第１のパイロット操作式制御弁、第２のパイロット操作式制御弁および第３のパイロット操作式制御弁に、それぞれの特定方向のパイロット圧を作用させて、連動操作による他の作業をするときは、切換弁が切換わって減圧弁が作動し、第３のパイロット操作式制御弁に作用する特定方向のパイロット圧を減圧するので、第１の流体圧アクチュエータの必要な動作速度を確保して操作性を改善でき、複数の作業を共に円滑にできる。
【００５６】
請求項２記載の発明によれば、第１のパイロット操作式制御弁、第２のパイロット操作式制御弁および第３のパイロット操作式制御弁に、それぞれの特定方向のパイロット圧を作用させて、連動操作による作業をするときは、第１の減圧弁および第２の減圧弁が作動して、第２のパイロット操作式制御弁および第３のパイロット操作式制御弁への特定方向のパイロット圧が減圧されるので、第１の流体圧アクチュエータの動作速度は、さらに速くなり、操作性を一層改善できる。
【００５７】
請求項３記載の発明によれば、ブーム上げ＋スティック・イン＋バケット・クローズの３連動操作による掘削作業においては、円滑な掘削作業に適したバケット動作を確保できるとともに、ブーム上げ＋スティック・アウト＋バケット・クローズの空中３連動操作によるダンプ積込み作業においては、必要なブーム上げ速度を確保できる。
【図面の簡単な説明】
【図１】本発明に係る流体圧回路の一実施の形態を示す回路図である。
【図２】本発明に係る流体圧回路の他の実施の形態を示す回路図である。
【図３】油圧ショベルの側面図である。
【図４】従来の油圧回路に用いられた減圧弁のブーム上げパイロット圧に対するスティック・インパイロット圧の特性を示す特性図である。
【図５】本発明の前提となるバケットパイロットラインに減圧弁を用いた油圧回路を示す回路図である。
【図６】（ａ）はバケットシリンダ伸び時のバケットスプールの開口特性を示す特性図、（ｂ）はバケットシリンダ縮み時のバケットスプールの開口特性を示す特性図である。
【符号の説明】
15    第１の流体圧アクチュエータとしてのブームシリンダ
17    第２の流体圧アクチュエータとしてのスティックシリンダ
19    第３の流体圧アクチュエータとしてのバケットシリンダ
21，22    第１のパイロット操作式制御弁としてのブーム第１スプールおよびブーム第２スプール
23，24    第２のパイロット操作式制御弁としてのスティック第１スプールおよびスティック第２スプール
25    第３のパイロット操作式制御弁としてのバケットスプール
26    流体圧源としての油圧源
36    減圧弁
38    切換弁
36a   第１の減圧弁
36b   第２の減圧弁
【図１】
0003869281.tif 000002
【図２】
0003869281.tif 000003
【図３】
0003869281.tif 000004
【図４】
0003869281.tif 000005
【図５】
0003869281.tif 000006
【図６】
0003869281.tif 000007